(57)【特許請求の範囲】
【請求項１】
人体の上半身背部に対するマッサージ用のマッサージ手段と該マッサージ手段に対する動作指示用の操作器とを備えている第１のマッサージ機と、人体脚部に対するマッサージ用のマッサージ手段と該マッサージ手段に対する動作指示用の操作器とを備えている第２のマッサージ機とからなり、それぞれの操作器によって個々に動作する上記両マッサージ機の各操作器は夫々のマッサージ機の動作内容に対応する動作表示用の表示部を備えており、遠隔操作型として形成された上記両操作器における上記表示部は上記両操作器を並べた時に上記各表示部も並ぶ位置にあり、上記両操作器を並べる方向を左右方向としたとき、上記両操作器は左右方向となる幅が異なり且つ上下方向となる長さが同じに形成されていると共に厚みも同じに形成されており、上記上半身背部用のマッサージ手段に対する動作指示用の操作器は、上記人体脚部用のマッサージ手段に対する動作指示用の操作器よりも左右方向に幅広に形成されていると共に、上記上半身背部用のマッサージ手段に対する動作指示用の操作器には、上記上半身背部のマッサージの強さを変更するためのスイッチと上記人体の上半身背部に対するマッサージ手段が組み込まれている背もたれの角度変更用のスイッチとが左右方向に並んで設けられていることを特徴とするマッサージ機。
【請求項２】
上記第１のマッサージ機の操作器における表示部は人体上半身を模した図を表示するものであり、上記第２のマッサージ機の操作器における表示部は人体脚部を模した図を表示するものであり、且つ上記両操作器を並べた時に上記両表示部における上記図は連続した図柄を構成するものであることを特徴とする請求項１記載のマッサージ機。
【請求項３】
上記両操作器を並べた状態で連結する連結手段を備えていることを特徴とする請求項１または２記載のマッサージ機。
【請求項４】
上記連結手段は、上記両操作器の左右の幅に合わせて夫々設けられた取り付け溝を備えるホルダーからなり、該ホルダーの各取り付け溝に夫々上記両操作器の背部を嵌め込むことで上記両操作器の側面同士が突き合わさった状態で上記両操作器の前面側が並ぶように保持されることを特徴とする請求項３記載のマッサージ機。
【発明の詳細な説明】
【技術分野】
【０００１】
本発明は、マッサージ機、殊に人体の上半身に対するマッサージと脚部に対するマッサージとを行うことができるマッサージ機に関するものである。
【背景技術】
【０００２】
椅子型で背もたれ内に人体の上半身背部に対するマッサージ用のマッサージ機構を備えるとともに、座部の前端に人体脚部に対するマッサージのための脚載せ台を一体に連結したマッサージ機が知られているが、設置スペースの関係や脚部のマッサージを必要としない人のために、足載せ台の部分がないマッサージ機も商品としてあり、また、脚部の疲れをとるために人体脚部に対するマッサージのみを行うことができるマッサージ機も商品としてある。
【０００３】
このために、足載せ台の部分がない人体上半身用のマッサージ機と、人体脚部に対するマッサージのみを行うことができるマッサージ機とを組み合わせて用いることになる場合がある上に、この組み合わせであると、両マッサージ機を異なる人が同時に使用することができることから、前述の一体型のマッサージ機ではなく、上半身用のマッサージ機と脚部用のマッサージ機との組み合わせを積極的に選択する人も存在している。
【０００４】
ところでマッサージ機によるマッサージを受けながら操作を行うことを考えた場合、ワイヤードもしくはワイヤレスの操作器で遠隔操作することができるようにしておくことが好ましいが、上半身用のマッサージ機と脚部用のマッサージ機との組み合わせで使用する場合、各マッサージ機用の２つの操作器を操作することになる。
【０００５】
この時、両者の操作器は夫々のマッサージ機の機能に合わせて個別に設計及びデザインされているのが通常であり、このために両操作器はデザイン的に不統一となっている上に操作性も異なっており、使用者にしてみれば、きわめて使いにくいものとなる。
【特許文献１】特開２００２−３６９８６２号公報
【特許文献２】特開平０９−１９２１８５号公報
【発明の開示】
【発明が解決しようとする課題】
【０００６】
本発明は上記の従来の問題点に鑑みて発明したものであって、上半身用のマッサージ機と脚部用のマッサージ機とを組み合わせて使用する場合の使い勝手を向上させたマッサージ機を提供することを課題とするものである。
【課題を解決するための手段】
【０００７】
上記課題を解決するために本発明に係るマッサージ機は、人体の上半身背部に対するマッサージ用のマッサージ手段と該マッサージ手段に対する動作指示用の操作器とを備えている第１のマッサージ機と、人体脚部に対するマッサージ用のマッサージ手段と該マッサージ手段に対する動作指示用の操作器とを備えている第２のマッサージ機とからなり、それぞれの操作器によって個々に動作する上記両マッサージ機は、各マッサージ機の操作器は夫々各マッサージ機の動作内容に対応する動作表示用の表示部を備えており、遠隔操作型として形成された上記両操作器における上記表示部は上記両操作器を並べた時に上記各表示部も並ぶ位置にあり、上記両操作器を並べる方向を左右方向としたとき、上記両操作器は左右方向となる幅が異なり且つ上下方向となる長さが同じに形成されていると共に厚みも同じに形成されており、上記上半身背部用のマッサージ手段に対する動作指示用の操作器は、上記人体脚部用のマッサージ手段に対する動作指示用の操作器よりも左右方向に幅広に形成されていると共に、上記上半身背部用のマッサージ手段に対する動作指示用の操作器には、上記上半身背部のマッサージの強さを変更するためのスイッチと上記人体の上半身背部に対するマッサージ手段が組み込まれている背もたれの角度変更用のスイッチとが左右方向に並んで設けられていることに特徴を有している。両操作器を並べた時に一体感のある状態を得ることができる。
【０００８】
特に、第１のマッサージ機の操作器における表示部は人体上半身を模した図を表示するものであり、第２のマッサージ機の操作器における表示部は人体脚部を模した図を表示するものであり、且つ両操作器を並べた時に両表示部における上記図は連続した図柄を構成するものであると、動作表示のための図を利用してより一体感のあるものとすることができる。
【０００９】
そして上記両操作器を並べた状態で連結する連結手段を備えていることが使い勝手の点で好ましい。つまり、両操作器を連結すれば、両操作器を単一の操作器のように扱うことができる上に、同種のスイッチが左右に並ぶために操作性も良好なものである。
また、上記連結手段は、上記両操作器の左右の幅に合わせて夫々設けられた取り付け溝を備えるホルダーからなり、該ホルダーの各取り付け溝に夫々上記両操作器の背部を嵌め込むことで上記両操作器の側面同士が突き合わさった状態で上記両操作器の前面側が並ぶように保持されるように構成されているのが好ましい。この場合、表示部を備える操作器の前面側はその側面同士が突き合わさった状態で並ぶものであり、このために表示部における人体を模した図が違和感なくつながるようになる。
【発明の効果】
【００１０】
本発明においては、各マッサージ機の遠隔操作型として形成された操作器が備える動作表示用の表示部が、両操作器を並べた時に並ぶ位置にあるために、両操作器を並べた時に一体感のある状態を得ることができるものであり、上半身用のマッサージ機と脚部用のマッサージ機とを組み合わせて使用する場合の使い勝手を向上させることができる。
【発明を実施するための最良の形態】
【００１１】
以下、本発明を添付図面に示す実施形態に基いて説明すると、図２は椅子１０の背もたれ１１内にマッサージ機構を組み込むことで人体の上半身背部に対するマッサージを行うことができるようにした上半身用のマッサージ機であり、ワイヤード型の操作器２を備えている。そして図中３は人体の脚部に対するマッサージ機構を備えた脚部用のマッサージ機であり、このマッサージ機３もワイヤード型の操作器４を備えている。
【００１２】
なお、ここにおける脚部用のマッサージ機３は、その両側のスタンド部３０，３０を結ぶ方向の軸回りに中央の本体部３１を回転させることができるようにしたもので、本体部３１の図に示す上面側は足載せ面や腰掛けとして使用することができるように平面状に形成してあり、図において下面側となっている面には人体の脚部を納めることができる２条の溝３２，３２を備えて、該溝３２の内壁に空気袋を配設してあり、本体部３１内に配したエアポンプ及びバルブによって上記空気袋を膨張収縮させることで、溝３２に納めた脚部に対してマッサージを行えるものである。
【００１３】
また、マッサージ機３によって脚部に対してマッサージを行う場合、図２に示す状態から溝部３２に脚部を納めることができるように本体部３１を回転させるわけであるが、ほぼ１８０°回転させた時は下腿部に対するマッサージ用として使用することができ、斜めに傾けた時には溝部３２に足先部を納めて足首から足の底面に対するマッサージ用として使用することができるものとなっている。
【００１４】
そして、上記マッサージ機における操作器２は図１(a)に示すように、電源入り切り用のボタンスイッチ２１と、動作を途中で止めるためのボタンスイッチ２２と、自動コースの選択用のボタンスイッチ２３ａ，２３ｂ，２３ｃ，２３ｄと、マッサージ位置を調節するための調節スイッチ２４と、マッサージの強さを変更するためのスイッチ２５と、背もたれ１１の角度変更用のスイッチ２６とを備えるとともに、人体を模した図を利用して現在のマッサージ位置を表示するための液晶パネルからなる表示部２０を備えている。
【００１５】
また、マッサージ機３における操作器４は図１(b)に示すように、電源入り切り用のボタンスイッチ４１と、自動コースの選択用のボタンスイッチ４３ａ，４３ｂと、マッサージの強さを変更するためのスイッチ４５とを備えるとともに、人体を模した図を利用して現在のマッサージ位置を表示するための液晶パネルからなる表示部４０を備えている。
【００１６】
ここにおいて、両操作器２，４は図１において左右方向となる幅が異なるものの、図中で上下の方向となる長さが同じに形成されているとともに厚みも同じに形成されており、両操作器２，４を並べた時、電源入り切り用のボタンスイッチ２１，４１、表示部２０，４０、自動コースの選択用のボタンスイッチ２３ａ，２３ｂ，２３ｃ，２３ｄとボタンスイッチ４３ａ，４３ｂ、マッサージの強さを変更するためのスイッチ２５，４５の夫々が左右に並ぶ位置にくるように各操作器２，４上に配置されている。
【００１７】
また、上半身用のマッサージ機の操作器２における操作器２の表示部２０は、上半身から大腿部にかけての人体を模した図を表示するものであり、脚部用のマッサージ機３における操作器４の表示部４０は、下肢及び足先を模した図を表示するものであり、両操作器２，４を並べた時、図１(c)及び図４に示すように、表示部２０に付された模式図と表示部４０に付された模式図とがほぼ連続して人体全体を模した図となる。
【００１８】
図３は上記両操作器２，４を並べた状態に保つためのホルダー５を示しており、該ホルダー５に操作器２，４の幅に合わせて設けてある取り付け溝５１，５２に夫々操作器２，４を嵌め込むことで両操作器２，４を連結すれば、両操作器２，４を単一の操作器のように扱うことができる上に、同種のスイッチが左右に並ぶために操作性も良好なものである。
【００１９】
また、各操作器２，４はその背面側の幅を少し狭くして、上記取り付け溝５１，５２にはこの幅の狭い背部を嵌め込むようにしてあり、表示部２０，４０を備える操作器２，４の前面側はその側面同士が突き合わさった状態で並ぶものであり、このために表示部２０，４０における人体を模した図が違和感なくつながるようになっている。
【００２０】
なお、操作器２，４同士の連結をホルダー５を用いて行ったものを示したが、例えば操作器２から側方にスライド突出させたフックを操作器４に連結することで、ホルダー５等の別部材を必要とすることなく両者の連結を行えるようにしてもよいのはもちろんである。
【図面の簡単な説明】
【００２１】
【図１】本発明の実施の形態の一例を示すもので、(a)は上半身用のマッサージ機の操作器の正面図、(b)は脚部用のマッサージ機の操作器の正面図、(c)は上記両操作器を連結した状態の正面図である。
【図２】同上の２つのマッサージ機の斜視図である。
【図３】(a)は２つの操作器とホルダーの分解斜視図、(b)は２つの操作器をホルダーを用いて接続した状態の斜視図である。
【図４】２つの操作器の表示部を示す正面図である。
【符号の説明】
【００２２】
２  操作器
３  マッサージ機
４  操作器
５  ホルダー
２０  表示部
４０  表示部
【図１】
0004730224.tif 000002
【図２】
0004730224.tif 000003
【図３】
0004730224.tif 000004
【図４】
0004730224.tif 000005